(57)【要約】【課題】建築物の部品の作図作業において、新たな屋根面の立体図を簡単に作成することができる建築物の部品作図システムを提供する。【解決手段】建築物の建築プランを記憶する記憶部４００と、建築プランに基づいて建築物の部品の部品図を作成する部品図作成部である制御部１００と、部品図の作成を行う際に制御部１００に対し入力操作を行う入力部２００とを備え、制御部１００は、入力操作により建築プランに基づく建築物の屋根伏せ図を作成し、作成した屋根伏せ図に応じた建築物の屋根面の立体図を作成する。また、屋根伏せ図の棟を移動することで、新たな屋根面の立体図と壁面図とを作成する。【選択図】図１
2008310607.tif 000002
【特許請求の範囲】
【請求項１】
建築物の部品図を作成するための入力操作を行う入力部と、
前記建築物の建築プランを記憶する記憶部と、
前記入力操作と前記建築プランとに基づいて前記建築物の部品の部品図を作成する部品図作成部と、
を備えた建築物の作図システムであって、
前記部品図作成部は、前記建築物の部品図として前記建築物の屋根伏せ図を作成した際に、該屋根伏せ図に応じた前記建築物の屋根面の立体図を作成すること、
を特徴とする建築物の作図システム。
【請求項２】
前記部品図作成部は、既存の前記屋根伏せ図において、前記入力部により棟を選択し該棟の位置を移動した場合に、新たな屋根面の立体図を作成することを特徴とする請求項１に記載の建築物の作図システム。
【請求項３】
前記入力部により選択した前記棟の位置を移動する際に、互いに交わる棟と棟、棟と谷、谷と谷とがなす角度、および、前記建築物の桁に対する大棟の角度が保持されることを特徴とする請求項２に記載の建築物の作図システム。
【請求項４】
前記入力部により選択した前記棟が大棟である際に、移動した前記大棟が他の大棟と一直線上に位置した場合は、移動した前記大棟と移動した前記大棟と一直線上に位置する前記他の大棟とを新たな一大棟とするとともに、移動した前記大棟と交わる棟と谷、および移動した前記大棟と一直線上に位置する前記他の大棟と交わる棟および谷は、前記新たな一大棟の両端と交わる棟を除いて消滅することを特徴とする請求項３に記載の建築物の作図システム。
【請求項５】
前記部品図作成部は、前記屋根面の立体図に応じた壁面図を作成することを特徴とする請求項１〜４のいずれか１項に記載の建築物の作図システム。
【発明の詳細な説明】
【技術分野】
【０００１】
本発明は、建築物の建築に必要な部品の図面作成を行う建築物の図面作成システムに関するものである。
【背景技術】
【０００２】
一般に、建築物を建築する際は、建築物の２次元平面図に基づいて３次元の立体図を作成する。例えば、建築メーカにより建築物の設計が行われた後に、建築資材メーカの担当者は、建築メーカから受け取った間取図等の図面を参照し、自社が担当する部位の平面図と立体図を描いて、自社が担当する部位にどのような部品がどの程度の数量必要なのかを認識し、部品の選定作業（拾い出し作業）を実施している（特許文献１）。
【０００３】
また、このような部品の図面作成と部品の拾い出し作業を精度良く行うために、コンピュータを用いた作図方法、すなわちＣＡＤ（Ｃｏｍｐｕｔｅｒ  Ａｉｄｅｄ  Ｄｅｓｉｇｎ）を利用した作図方法を用いる装置が提案されている（特許文献２）
【特許文献１】特開平６−１４９９４７号公報
【特許文献２】特開２００５−５６２４８公報
【発明の開示】
【発明が解決しようとする課題】
【０００４】
ところで、このような建築物の部品の図面作成作業において、一旦作図した３次元の立体図である屋根面を変更する場合、担当者が所望する屋根面に合わせて２次元の平面図である屋根伏せ図を変更し、変更した屋根伏せ図に基づいて屋根面図が作成されるのが一般的である。しかしながら、３次元の立体図である屋根面を２次元の平面図である屋根伏せ図として描くには専門的知識が必要であり、特に屋根面が複雑な形状を有している場合は、膨大な作業工数が必要になる、といった問題点があった。
【０００５】
本発明は、既存の屋根伏せ図において棟を移動することにより、新たな屋根面の立体図を簡単に作成することができる建築物の部品作図システムを提供することを課題としている。
【課題を解決するための手段】
【０００６】
上記目的を達成するために、請求項１に記載された発明は、建築物の部品図を作成するための入力操作を行う入力部と、前記建築物の建築プランを記憶する記憶部と、前記入力操作と前記建築プランとに基づいて前記建築物の部品の部品図を作成する部品図作成部と、を備えた建築物の作図システムであって、前記部品図作成部は、前記建築物の部品図として前記建築物の屋根伏せ図を作成した際に、該屋根伏せ図に応じた前記建築物の屋根面の立体図を作成することを特徴としている。
【０００７】
また、請求項２に記載された発明は、請求項１において、前記部品図作成部は、既存の前記屋根伏せ図において、前記入力部により棟を選択し該棟の位置を移動した場合に、新たな屋根面の立体図を作成することを特徴としている。
【０００８】
また、請求項３に記載された発明は、請求項２において、前記入力部により選択した前記棟の位置を移動する際に、互いに交わる棟と棟、棟と谷、谷と谷とがなす角度、および、前記建築物の桁に対する大棟の角度が保持されることを特徴としている。
【０００９】
また、請求項４に記載された発明は、請求項３において、前記入力部により選択した前記棟が大棟である際に、移動した前記大棟が他の大棟と一直線上に位置した場合は、移動した前記大棟と移動した前記大棟と一直線上に位置する前記他の大棟とを新たな一大棟とするとともに、移動した前記大棟と交わる棟と谷、および移動した前記大棟と一直線上に位置する前記他の大棟と交わる棟および谷は、前記新たな一大棟の両端と交わる棟を除いて消滅することを特徴としている。
【００１０】
さらに、請求項５に記載された発明は、請求項１〜４のいずれか１項において、前記部品図作成部は、前記屋根面の立体図に応じた壁面図を作成することを特徴としている。
【発明の効果】
【００１１】
このように構成された請求項１に記載された発明では、建築物の部品作図システムにおいて、屋根面の立体図を簡単に作成することができる。
【００１２】
また、請求項２に記載された発明では、既存の屋根伏せ図の棟を移動することで、新たな屋根面の立体図を簡単に作成することができる。
【００１３】
また、請求項３および請求項４に記載された発明では、既存の屋根伏せ図の棟を移動した場合に、棟の位置関係が保たれ、新たな屋根面の立体図を簡単に作成することができる。
【００１４】
さらに、請求項５に記載された発明では、屋根面の立体図に応じた壁面を簡単に作成することができる。
【発明を実施するための最良の形態】
【００１５】
次に、図１から図８に基づいて、本発明を実施するための最良の実施の形態の建築物の部品作図システムについて説明する。本実施形態では、建築物の部品作図システムが、建築物の部品拾い出しシステムに備えられているものとして説明を行う。
【００１６】
図１は、本発明に係る建築物の部品作図システムの一実施形態を示すブロック図である。
【００１７】
建築物の部品作図システム１０は、制御部１００、入力部２００、表示部３００、記憶部４００、記憶媒体４１０、一時記憶部５００により構成されている。
【００１８】
制御部１００は、記憶媒体４１０から読み込まれ記憶部４００の記憶領域に格納される各種プログラムやデータ、入力部２００から入力される各種指示を一時記憶部５００に格納し、プログラムに従ってそれらの指示やデータに応じた処理を実行し、その処理結果を一時記憶部５００に一時的に記憶するとともに、表示部３００に出力する。
【００１９】
また制御部１００は、入力部２００からの指示入力に基づいて部品の平面図を作成し、この平面図に記載された屋根、天井、床、壁等の建築構成要素に対して、一時記憶部５００に格納された高さ情報、仕上情報および建具情報等を属性情報として設定する処理を実行する。入力部２００からの指示入力に基づく部品の平面図の作成については、例えば入力部２００で表示部３００の座標を２点指示し、２点間を結ぶ直線を生成する等、一般的なＣＡＤを用いることで行う。このＣＡＤについては公知の技術であるため、説明は省略する。
【００２０】
また制御部１００は、入力部２００からの指示入力に基づいて、既存の屋根伏せ図から新たな屋根面の立体図を作成する。この新たな屋根面の立体図の作成方法については後述する。
【００２１】
入力部２００は、キーボードやいわゆるマウス等のポインティングデバイスにより構成され、入力操作信号を制御部１００に対して出力する。
【００２２】
表示部３００は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等により構成され、制御部１００から出力される部品の平面図、屋根面の立体図、各種データ等を表示する。
【００２３】
記憶部４００は、磁気的、光学的記録媒体、若しくは半導体メモリで構成された記憶媒体４１０からプログラムやデータ等を読み込み、自身が備えた記憶領域に格納する。また、制御部１００から出力されたデータ等を、記憶媒体４１０に記憶させる。記憶媒体４１０は、記憶部４００に固定的に設けたもの、または着脱自在に装着するものである。
【００２４】
一時記憶部５００は、制御部１００により実行される各種処理プログラムや、その処理に係るデータを一時的に記憶する記憶領域を備えている。
【００２５】
上記制御部１００、表示部３００、一時記憶部５００が、請求項における部品図作成部に相当する。
【００２６】
次に、本実施形態において、既存の屋根伏せ図から新たな屋根面の立体図を作成する（以下、屋根面の立体図の変更と呼ぶ）方法について説明を行う。
【００２７】
まず、本実施形態における建築物の部品の拾い出し作業について説明を行う。
【００２８】
図２は、本実施形態における建築物の部品の拾い出し作業のフローを示すフローチャートである。
【００２９】
ステップＳ１０１では、対象とする部品の平面図が作成される。この後に、フローはステップＳ１０２へ移行する。
【００３０】
ステップＳ１０２では、平面図が作成された部品に対し、その実寸や材料等を指示して部品を決定する部品の設定処理が行われる。作成された平面図の画面上の寸法と実際の寸法との比率はあらかじめ記憶部４００の記憶領域または一時記憶部５００に記憶されており、部品図が作成されるとその部品の実寸が自動的に算出される。また、各部品の高さ情報、仕上情報、建具情報等の属性情報は、あらかじめ記憶部４００の記憶領域または一時記憶部５００に記憶されており、制御部１００により表示部３００に表示される部品設定メニュー（図示省略）により、作成された部品に対して任意に選択することができる。このような部品の設定処理は公知の技術であるため、詳細な説明は省略する。この後に、フローはステップＳ１０３へ移行する。
【００３１】
ステップＳ１０３で、一つの部品に対する部品の拾い出し作業は終了する。他に部品の拾い出し作業が必要な部品があれば、ステップＳ１０１、ステップＳ１０２の処理を繰り返せばよい。
【００３２】
次に、本実施形態における屋根面の立体図の変更作業について説明を行う。図３に屋根面の立体図の変更作業のフローチャートを示す。
【００３３】
ステップＳ２０１では、既存の屋根伏せ図が選択される。屋根伏せ図は、図２のフローチャートのステップＳ１０１で作成され、または記憶媒体４１０から読み込まれて、記憶部４００の記憶領域または一時記憶部５００に格納されている。この後に、フローはステップＳ２０２へ移行する。
【００３４】
ステップＳ２０２では、ステップＳ２０１で選択した屋根伏せ図において、棟を選択し、屋根伏せ図が所望の屋根伏せ図となるように選択した棟を移動する。選択した棟を移動し、新たな屋根伏せ図を作成する方法については後述する。棟の選択には、操作者と制御部１００とのインターフェースとなる操作画面（図６下図参照）が表示され、操作者は操作画面のメニューに従って操作を行う。なお、このようなインターフェースについては、コンピュータプログラムを利用する際の一般的な方法であるため、詳細な説明は省略する。図７上図に、選択された棟の一例（棟Ｖ１）を太線で示す。この後に、フローはステップＳ２０３へ移行する。
【００３５】
ステップＳ２０３では、ステップＳ２０２で作成（変更）された屋根伏せ図のデータと、記憶部４００の記憶領域または一時記憶部５００に格納された屋根の属性情報とに基づいて、制御部１００により屋根面の立体図が作成される。この後に、フローはステップＳ２０４へ移行する。
【００３６】
ステップＳ２０４では、ステップＳ２０３で作成された屋根面の立体図が、所望の屋根形状を示す屋根面であるか否かが判定される。ステップＳ２０３で作成された屋根面の立体図が、所望の屋根形状を示す屋根面である場合は、新たな屋根面の立体図が完成したことになり、フローはステップＳ２０５へ移行する。一方、ステップＳ２０３で作成された屋根面の立体図が、所望の屋根形状を示す屋根面でない場合は、さらに変更が必要となり、フローはステップＳ２０２へ戻る。
【００３７】
ステップＳ２０５では、ステップＳ２０４までの作業で完成された屋根面の立体図に合わせて、制御部１００により壁面が作成される。壁面の平面上の位置は建築プランにより定まっているため、屋根面が定まれば屋根面と壁面との交点（線）が幾何学的に定まり、新たな屋根面に合わせた新たな壁面が作成される。この後に、フローはステップＳ２０６へ移行する。
【００３８】
ステップＳ２０６で、屋根面の立体図の変更作業は終了する。
【００３９】
次に、図４に基づいて、ステップＳ２０２の処理、すなわち、選択した棟を移動し、新たな屋根伏せ図を作成する方法についての説明を行う。
【００４０】
図４（１）は、記憶部４００の記憶領域または一時記憶部５００に格納された既存の屋根伏せ図の例である。この屋根伏せ図は、建築プランに含まれていたものでもよいし、入力部２００と制御部１００とを用いて操作者が新たに作成したものでもよい。
【００４１】
図４（２ａ）は、操作者が入力部２００により図４（１）の屋根伏せ図において棟Ｈ１を選択し、矢印Ａ方向（上方向）に移動した場合の屋根伏せ図である。
【００４２】
ここで、棟の移動を行った場合、互いに交わる棟と棟のなす角度、谷と谷のなす角度、棟と谷とのなす角度は、移動前の角度が保持されるものとする。また、桁に対する大棟の角度は、移動前の角度が保持されるものとする。また、棟の長さは棟の移動に伴い、屋根の外縁内において適宜変更されるものとする。さらに、谷の位置は変わらないものとする。以上の規則により、棟を移動しても屋根面の傾斜角度は変わらず、大棟と軒先の高さが変化する。
【００４３】
なお、図４では、屋根の外縁Ｋ１〜Ｋ５それぞれに平行する桁が設けられているものとする（図示省略）。
【００４４】
図４（１）で棟Ｈ１を矢印Ａ方向（上方向）に移動すると、棟Ｌ１は、棟Ｈ１と棟Ｌ２とのなす角度が保持された状態で上方向に移動し、図４（２ａ）のＬ１ａとなる。
【００４５】
また、棟Ｌ２は、棟Ｈ１と棟Ｌ１とのなす角度が保持された状態で、図４（２ａ）のＬ２ａとなる。
【００４６】
また、棟Ｌ３は、棟Ｈ１と棟Ｌ４とのなす角度が保持された状態で、図４（２ａ）のＬ３ａとなる。
【００４７】
また、棟Ｌ４は、棟Ｈ１と棟Ｌ３とのなす角度が保持された状態で、図４（２ａ）のＬ４ａとなる。
【００４８】
また、棟Ｌ６は、棟Ｈ２と棟Ｌ７とのなす角度が保持された状態で、図４（２ａ）のＬ６ａとなる。
【００４９】
また、棟Ｌ７は、棟Ｈ２と棟Ｌ６とのなす角度が保持された状態で、図４（２ａ）のＬ７ａとなる。
【００５０】
さらに、屋根の外縁Ｋ１、Ｋ２と平行する、すなわち、桁に平行する棟Ｈ２は、桁との平行状態が保持されるとともに、棟Ｌ５、棟Ｌ６とのなす角度が保持されて、図４（２ａ）のＨ２ａとなる。
【００５１】
一方、谷Ｌ５は、棟Ｈ１の移動にともないその長さが変化するが、その位置は変わらず、図４（２ａ）のＬ５ａとなる。
【００５２】
以上のように、図４（１）において棟Ｈ１を矢印Ａ方向（上方向）に移動すると、図４（２ａ）に示す新たな屋根伏せ図が作成される。
【００５３】
図４（２ｂ）は、操作者が入力部２００により図４（１）の屋根伏せ図において棟Ｈ１を選択し、矢印Ｂ方向（右方向）に移動した場合の屋根伏せ図である。
【００５４】
すなわち、図４（１）で棟Ｈ１を矢印Ｂ方向（右方向）に移動すると、棟Ｌ１は、棟Ｈ１と棟Ｌ２とのなす角度が保持された状態で右方向に移動し、図４（２ｂ）のＬ１ｂとなる。
【００５５】
また、棟Ｌ２は、棟Ｈ１と棟Ｌ１とのなす角度が保持された状態で、図４（２ｂ）のＬ２ｂとなる。
【００５６】
また、棟Ｌ３は、棟Ｈ１と棟Ｌ４とのなす角度が保持された状態で、図４（２ｂ）のＬ３ｂとなる。
【００５７】
また、棟Ｌ４は、棟Ｈ１と棟Ｌ３とのなす角度が保持された状態で、図４（２ｂ）のＬ４ｂとなる。
【００５８】
また、棟Ｌ６は、棟Ｈ２と棟Ｌ７とのなす角度が保持された状態で、図４（２ｂ）のＬ６ｂとなる。
【００５９】
また、棟Ｌ７は、棟Ｈ２と棟Ｌ６とのなす角度が保持された状態で、図４（２ｂ）のＬ７ｂとなる。
【００６０】
さらに、屋根の外縁Ｋ１、Ｋ２と平行する、すなわち、桁に平行する棟Ｈ２は、桁との平行状態が保持されるとともに、谷Ｌ５、棟Ｌ６とのなす角度が保持されて、図４（２ｂ）のＨ２ｂとなる。
【００６１】
一方、谷Ｌ５は、棟Ｈ１の移動にともないその長さが変化するが、その位置は変わらず、図４（２ｂ）のＬ５ｂとなる。
【００６２】
以上のように、図４（１）において棟Ｈ１を矢印Ｂ方向（右方向）に移動すると、図４（２ｂ）に示す新たな屋根伏せ図が作成される。
【００６３】
図４（２ｃ）は、操作者が入力部２００により図４（１）の屋根伏せ図において棟Ｈ１を選択し、矢印Ｃ方向（下方向）に移動した場合の屋根伏せ図である。
【００６４】
すなわち、図４（１）で棟Ｈ１を矢印Ｃ方向（下方向）に移動すると、棟Ｌ１は、棟Ｈ１と棟Ｌ２とのなす角度が保持された状態で下方向に移動し、図４（２ｃ）のＬ１ｃとなる。
【００６５】
また、棟Ｌ２は、棟Ｈ１と棟Ｌ１とのなす角度が保持された状態で、図４（２ｃ）のＬ２ｃとなる。
【００６６】
また、棟Ｌ３は、棟Ｈ１と棟Ｌ４とのなす角度が保持された状態で、図４（２ｃ）のＬ３ｃとなる。
【００６７】
また、棟Ｌ４は、棟Ｈ１と棟Ｌ３とのなす角度が保持された状態で、図４（２ｃ）のＬ４ｃとなる。
【００６８】
また、棟Ｌ６は、棟Ｈ２と棟Ｌ７とのなす角度が保持された状態で、図４（２ｃ）のＬ６ｃとなる。
【００６９】
また、棟Ｌ７は、棟Ｈ２と棟Ｌ６とのなす角度が保持された状態で、図４（２ｃ）のＬ７ｃとなる。
【００７０】
さらに、屋根の外縁Ｋ１、Ｋ２と平行する、すなわち、桁に平行する棟Ｈ２は、桁との平行状態が保持されるとともに、谷Ｌ５、棟Ｌ６とのなす角度が保持されて、図４（２ｃ）のＨ２ｃとなる。
【００７１】
一方、谷Ｌ５は、棟Ｈ１の移動にともないその長さが変化するが、その位置は変わらず、図４（２ｃ）のＬ５ｃとなる。
【００７２】
以上のように、図４（１）において棟Ｈ１を矢印Ｃ方向（下方向）に移動すると、図４（２ｃ）に示す新たな屋根伏せ図が作成される。
【００７３】
図４（２ｄ）は、操作者が入力部２００により図４（１）の屋根伏せ図において棟Ｈ１を選択し、矢印Ｄ方向（左方向）に移動した場合の屋根伏せ図である。
【００７４】
すなわち、図４（１）で棟Ｈ１を矢印Ｄ方向（左方向）に移動すると、棟Ｌ１は、棟Ｈ１と棟Ｌ２とのなす角度が保持された状態で左方向に移動し、図４（２ｄ）のＬ１ｄとなる。
【００７５】
また、棟Ｌ２は、棟Ｈ１と棟Ｌ１とのなす角度が保持された状態で、図４（２ｄ）のＬ２ｄとなる。
【００７６】
また、棟Ｌ３は、棟Ｈ１と棟Ｌ４とのなす角度が保持された状態で、図４（２ｄ）のＬ３ｄとなる。
【００７７】
また、棟Ｌ４は、棟Ｈ１と棟Ｌ３とのなす角度が保持された状態で、図４（２ｄ）のＬ４ｄとなる。
【００７８】
また、棟Ｌ６は、棟Ｈ２と棟Ｌ７とのなす角度が保持された状態で、図４（２ｄ）のＬ６ｄとなる。
【００７９】
また、棟Ｌ７は、棟Ｈ２と棟Ｌ６とのなす角度が保持された状態で、図４（２ｄ）のＬ７ｄとなる。
【００８０】
さらに、屋根の外縁Ｋ１、Ｋ２と平行する、すなわち、桁に平行する棟Ｈ２は、桁との平行状態が保持されるとともに、谷Ｌ５、棟Ｌ６とのなす角度が保持されて、図４（２ｄ）のＨ２ｄとなる。
【００８１】
一方、谷Ｌ５は、棟Ｈ１の移動にともないその長さが変化するが、その位置は変わらず、図４（２ｄ）のＬ５ｄとなる。
【００８２】
以上のように、図４（１）において棟Ｈ１を矢印Ｄ方向（左方向）に移動すると、図４（２ｄ）に示す新たな屋根伏せ図が作成される。
【００８３】
図５（２）は、操作者が入力部２００により図５（１）の屋根伏せ図において棟（大棟）Ｈ１を選択し、矢印Ｅ方向（下方向）に移動し、棟（大棟）Ｈ１と棟（大棟）Ｈ２とを一直線上に配置した場合の屋根伏せ図である。
【００８４】
ここで、棟の移動を行った場合、互いに交わる棟と棟のなす角度、谷と谷のなす角度、棟と谷とのなす角度は、移動前の角度が保持されるものとする。また、桁に対する大棟の角度は、移動前の角度が保持されるものとする。また、棟の長さは棟の移動に伴い、屋根の外縁内において適宜変更されるものとする。また、谷の位置は変わらないものとする。さらに、移動した大棟が他の大棟と一直線上に位置する場合は、移動した大棟と一直線上に位置する他の大棟が新たな一つの大棟となる。この際、移動した大棟と交わる棟および谷、移動した大棟と一直線上に位置する他の大棟と交わる棟および谷は、新たな一つの大棟の両端と交わる棟を除いて消滅する。以上の規則により、棟を移動しても屋根面の傾斜角度は変わらず、大棟と軒先の高さが変化する。
【００８５】
すなわち、図５（１）で棟Ｈ１を矢印Ｅ方向（下方向）に移動すると、棟Ｌ１は、棟Ｈ１と棟Ｌ２とのなす角度が保持された状態で下方向に移動し、図５（２）のＬ１ｅとなる。
【００８６】
また、棟Ｌ２は、棟Ｈ１と棟Ｌ１とのなす角度が保持された状態で、図５（２）のＬ２ｅとなる。
【００８７】
また、棟Ｌ３は、棟Ｈ１と棟Ｈ２が一直線上となり新たな一つの棟Ｈ１２となることで、消滅する。
【００８８】
また、棟Ｌ４は、棟Ｈ１と棟Ｈ２が一直線上となり新たな一つの棟Ｈ１２となることで、消滅する。
【００８９】
また、棟Ｌ６は、棟Ｈ２と棟Ｌ７とのなす角度が保持された状態で、図５（２）のＬ６ｅとなる。
【００９０】
また、棟Ｌ７は、棟Ｈ２と棟Ｌ６とのなす角度が保持された状態で、図５（２）のＬ７ｅとなる。
【００９１】
また、棟Ｈ２は、棟Ｈ１と一直線上となり、棟Ｈ１と結合して図５（２）に示す新たな一つの棟Ｈ１２となる。
【００９２】
さらに、谷Ｌ５は、棟Ｈ１と棟Ｈ２が一直線上となり新たな一つの棟Ｈ１２となることで、消滅する。
【００９３】
以上のように、図５（１）において棟Ｈ１を矢印Ｅ方向（下方向）に移動すると、図５（２）に示す新たな屋根伏せ図が作成される。
【００９４】
次に、図６〜図１０に基づいて、既存の屋根伏せ図において複数の棟を移動し、新しい屋根面の立体図を作成する作業の説明を行う。
【００９５】
図６下図は、記憶部４００の記憶領域または一時記憶部５００に格納された既存の屋根伏せ図、図６上図は、その屋根伏せ図に基づく屋根面の立体図を家屋の立体図とともに示した図である。
【００９６】
図７上図は、図６下図の屋根伏せ図において、太線部分の棟Ｖ１を選択した状態を示す。図７下図は、選択した棟Ｖ１を、右斜め上方向（矢印ＡＡ方向）に移動した後の屋根伏せ図である。
【００９７】
図８上図は、図７下図の屋根伏せ図において、太線部分の棟Ｌ１、Ｌ２を選択した状態を示す。図８下図は、選択した棟Ｌ１を、左方向（矢印ＢＢ方向）に移動し、選択した棟Ｌ２を、下方向（矢印ＣＣ方向）に移動した後の屋根伏せ図である。
【００９８】
図９は、図８で作成が完了した新たな屋根伏せ図に対し、新たな屋根面の立体図と、新たな屋根面の立体図に合わせた壁面ＷＡ１〜ＷＦ１とが、制御部１００により作成された状態を示す。壁面ＷＡ１〜ＷＦ１は、壁面ＷＡ１〜ＷＦ１の平面上の位置と屋根面の形状とに合わせて、幾何学的に決定される。
【００９９】
以上のように、本発明の実施形態においては、既存の屋根伏せ図の棟を移動することにより、新たな屋根面の立体図を簡単に作成することができる。
【０１００】
なお、前述した実施形態においては、屋根形状が寄棟の場合について説明を行ったが、本発明は、切妻等他の屋根形状に対しても適用が可能である。
【０１０１】
以上、図面を参照して、本発明の実施の形態を詳述してきたが、具体的な構成は、この実施の形態に限らず、本発明の要旨を逸脱しない程度の設計的変更は、本発明に含まれる。
【０１０２】
例えば、上述した実施形態では、本発明の建築物の部品作図システムが建築物の部品拾い出しシステムに備えられているものとして説明を行ったが、建築物の部品作図システムが単独で存在してもよい。
【０１０３】
また、ブロック図は図１に示すものに限定されるものではなく、実施形態と同等の動作を行うものであればよい。
【０１０４】
また、実施形態においては、入力装置としてマウスを例に説明を行ったが、マウスに限定されるものではなく、いわゆるトラックボールやトラックパッド等、他のポインティングデバイスであっても良い。
【図面の簡単な説明】
【０１０５】
【図１】本発明の実施形態におけるブロック図である。
【図２】本発明の実施形態における部品の拾い出し作業のフローチャートである。
【図３】本発明の実施形態における屋根面の立体図の変更処理のフローチャートである。
【図４】本発明の実施形態における屋根伏せ図の棟の移動処理の説明図である。
【図５】本発明の実施形態における屋根伏せ図の棟の移動処理の他の説明図である。
【図６】本発明の実施形態における屋根面の立体図の変更処理の説明図である。
【図７】本発明の実施形態における屋根面の立体図の変更処理の他の説明図である。
【図８】本発明の実施形態における屋根面の立体図の変更処理の他の説明図である。
【図９】本発明の実施形態における屋根面の立体図の変更処理の他の説明図である。
【符号の説明】
【０１０６】
１００  制御部
２００  入力部
３００  表示部
４００  記憶部
４１０  記憶媒体
５００  一時記憶部
【図１】
2008310607.tif 000003
【図２】
2008310607.tif 000004
【図３】
2008310607.tif 000005
【図４】
2008310607.tif 000006
【図５】
2008310607.tif 000007
【図６】
2008310607.tif 000008
【図７】
2008310607.tif 000009
【図８】
2008310607.tif 000010
【図９】
2008310607.tif 000011